(57)【特許請求の範囲】
【請求項１】
排紙トレイと、この排紙トレイの下側にある装置本体と、を備える画像形成装置であって、
前記装置本体の内部にはダクトを有し、
前記ダクト内にはフィルタ部材が設けられており、前記フィルタ部材の一部は前記装置本体の外部に露出し、前記フィルタ部材の露出された部分は前記排紙トレイの一部を兼ねており、
前記フィルタ部材は、その高さ方向を排紙方向の下流側に傾斜するように設置されることを特徴とする、画像形成装置。
【請求項２】
排紙トレイと、この排紙トレイの下側にある装置本体と、を備える画像形成装置であって、
前記装置本体の内部にはダクトを有し、
前記ダクト内にはフィルタ部材が設けられており、
前記フィルタ部材の一部は前記装置本体の外部に露出し、
前記フィルタ部材の露出された部分は前記排紙トレイの一部を備え、
前記フィルタ部材は、その露出された部分が前記排紙トレイと面一とされており、
さらに前記露出された部分に取手部が設けられていることを特徴とする、画像形成装置
。
【請求項３】
前記取手部は排紙方向の下流側に設けられることを特徴とする、請求項２に記載の画像形成装置。
【請求項４】
前記取手部は前記フィルタ部材のユーザ側に設けられることを特徴とする、請求項２または請求項３に記載の画像形成装置。
【請求項５】
排紙トレイと、この排紙トレイの下側にある装置本体と、を備える画像形成装置であって、
前記装置本体の内部にはダクトを有し、
前記ダクト内にはフィルタ部材が設けられており、前記フィルタ部材の一部は前記装置本体の外部に露出し、前記フィルタ部材の露出された部分は前記排紙トレイの一部を備え、
前記フィルタ部材を押すと、当該フィルタ部材が装置本体の外部に跳ね上がるプッシュオーペン部材を有することを特徴とする、画像形成装置。
【請求項６】
前記排紙トレイの上方に読取部を備え、前記フィルタ部材の高さは、前記排紙トレイから前記読取部までの最小高さよりも小さいことを特徴とする、請求項１、請求項２、および請求項５のいずれか１項に記載の画像形成装置。
【請求項７】
前記フィルタ部材の露出された部分は前記排紙トレイの所定の排紙領域以外の領域にあることを特徴とする、請求項１、請求項２、請求項５および請求項６のいずれか１項に記載の画像形成装置。
【請求項８】
前記フィルタ部材は、前記排紙トレイの水平面をなす領域に設けられることを特徴とする、請求項１、請求項２、請求項５および請求項６のいずれか１項に記載の画像形成装置。
【請求項９】
前記フィルタ部材は、その高さ方向を前記排紙トレイの面に垂直するように設置されることを特徴とする、請求項２、請求項５および請求項６のいずれか１項に記載の画像形成装置。
【請求項１０】
前記フィルタ部材はオゾン用フィルタであることを特徴とする、請求項１から９のいずれか１項に記載の画像形成装置。
【請求項１１】
前記装置本体内にファンが設けられており、前記ファンは前記フィルタ部材とともに取り出されることを特徴とする、請求項１から１０のいずれか１項に記載の画像形成装置。
【発明の詳細な説明】
【技術分野】
【０００１】
本発明は画像形成装置に関し、特に排紙トレイにてフィルタを外す可能な画像形成装置に関する。
【背景技術】
【０００２】
一般の画像形成装置は、画像形成装置の内部にダクトが設けられ、ダクトにファンとフィルタが組み付けられて、ファンでエアを吸引してフィルタでオゾンや臭いなどを除去する。
【０００３】
ろ過効果を確保するために、フィルタを定期的に交換する必要がある。従来、フィルタ交換がしやすいために、通常、装置の外部へ空気を排出する排出口にフィルタを設置する。しかし、排出口と画像形成部の間の距離が長いため、圧力損失が起こりろ過の効果が落ちると言う課題がある。
【０００４】
除去効率を上げるためには、画像形成部に近い位置にフィルタとファンを設置し、ダクト距離を短くして圧損失を抑制することが好ましい。例えば、フィルタを画像形成に着けて、画像形成装置と一体的に交換することが考えられる。しかし、画像形成部の交換はサービスマンが行なうため、ユーザ自身で交換ができない。且つ、画像形成部と一体交換で高価なため、通常は画像形成部の交換周期に伴って交換を行なうので、フィルタの使用状態によって交換ができない。
【０００５】
フィルタを個別に画像形成装置の近い位置に設置することも考えられる。この場合、フィルタは装置内部に設置され、ユーザ自身での交換はできるが、画像形成に関する部品が多く配置されており、やはりユーザにとっては複雑な作業である。
【０００６】
特開２０１４−７１２９３号公報（特許文献１）に記載された方法を用いるとしても、交換作業を行なうために装置の主体のカバーを外す必要があり、作業性が悪く、更に画像形成中のフィルタ交換は不可能である。
【先行技術文献】
【特許文献】
【０００７】
【特許文献１】特開２０１４−７１２９３号公報
【発明の概要】
【発明が解決しようとする課題】
【０００８】
本発明は以上のような実状に鑑みなされたもので、カバーを外さずに、ユーザ自身でフィルタ部材を簡単に交換可能な画像形成装置を提供することを目的としている。
【課題を解決するための手段】
【０００９】
上記目的を達成するために、この画像形成装置は、排紙トレイと、この排紙トレイの下側にある装置本体とを備える画像形成装置であって、上記装置本体の内部にはダクトを有し、上記ダクト内にはフィルタ部材が設けられており、上記フィルタ部材の一部は上記装置本体の外部に露出し、上記フィルタ部材の露出される部分は上記排紙トレイの一部を兼ねることを特徴とする。
【００１０】
この画像形成装置において、フィルタ部材の一部は排紙トレイの下側の装置本体の外部に露出する。これにより、フィルタ部材の、装置本体の外部に露出される部分によりフィルタ部材を装置本体から取り出すことができる。このように、装置を覆うカバーを開くことなく装置からフィルタ部材を取り出すことができ、フィルタ部材を交換する作業が簡単になる。フィルタ部材の露出された部分は排紙トレイの一部を兼ねることにより、装置の意匠性を確保することができるとともに、排紙を順調にすることもできる、さらに画像形成中でもフィルタ部材を取り出すことができ、ジョブを中断することなくフィルタ交換が可能である。
【００１１】
また、読取部は排紙トレイの上方にあるため、排紙トレイと読取部との間にスペースが形成されることにより、フィルタ部材を交換するときに、操作用スペースが確保され、フィルタ部材を順調に取り出すことが可能になる。
【００１２】
この画像形成装置において、上記フィルタ部材の高さは、上記排紙トレイから上記読取部までの最小距離よりも小さいことが好ましい。このように、フィルタ部材の交換用のスペースを確保でき、交換操作も便利になる。
【００１３】
この画像形成装置において、上記フィルタ部材の露出された部分は上記排紙トレイの所定の排紙領域以外の領域にあるのが好ましい。これにより、排紙性能が影響されないとともに、フィルタ部材の交換操作も妨害されない。
【００１４】
この画像形成装置において、上記フィルタ部材は上記排紙トレイの斜面をなす領域に設けられるのが好ましい。これにより、フィルタ部材の交換スペースを大きくすることができ、交換操作が便利になる。
【００１５】
この画像形成装置において、上記フィルタ部材は上記排紙トレイの水平面をなす領域に設けられるのが好ましい。排紙トレイの水平面をなす領域は大きいであるため、フィルタ部材の設置が便利であり、交換操作も便利である。
【００１６】
この画像形成装置において、上記フィルタ部材は、その高さ方向を上記排紙トレイ面に垂直するように設置するのが好ましい。これにより、フィルタ部材の高さ方向に沿ってそれを組み付けたり、取り出したりする際に、排紙トレイの表面に対してフィルタ部材を垂直に挿入、或いは抜け出すことであってもよいので、交換動作が簡単であり、交換操作も便利になる。
【００１７】
この画像形成装置において、上記フィルタ部材は、その高さ方向を排紙方向の下流側に傾斜するように設置するのが好ましい。排紙方向の下流側のスペースはより大きいであるため、排紙トレイと読取部との間のスペースの高さが低いであっても、フィルタ部材の高さ方向に沿ってそれを組み付けたり、取りだしたりする際に、フィルタ部材を順調に挿入、或いは抜け出すことができる。交換操作が影響されないだけでなく、ろ過される汚物が排紙領域内に落ち難い。
【００１８】
この画像形成装置において、上記フィルタ部材は、その露出された部分が上記排紙トレイと面一されており、さらに取手部を有し、当該取手部は上記露出された部分において排紙方向の下流側に設けられるのが好ましい。取手部を設置し、そしてフィルタ部材の露出された部分を上記排紙トレイにと面一することにより、ユーザ又はメンテナーによるフィルタ部材の交換作業が便利になる。取手部は排紙方向の下流に設けられるため、用紙の排出が影響されない。
【００１９】
また、取手部はユーザに近い側に設置されることにより、ユーザ又はメンテナーは手を裏側に伸び入れることなく取手部を把持してフィルタ部材を抜き出すことができ、交換操作が便利になる。
【００２０】
この画像形成装置において、上記フィルタ部材を押すと、当該フィルタ部材本体から外部へ跳ね上がるプッシュオーペン部材をさらに有するのが好ましい。これにより、ユーザ又はメンテナーによるフィルタ部材の取り出しが便利になる。
【００２１】
この画像形成装置において、上記フィルタ部材はオゾン用フィルタであるのが好ましい。このフィルタ部材は紙粉または微小顆粒等をろ過することができるが、本発明においてオゾンをろ過するものとして用いられ、これにより、フィルタ部材を交換するためにそれを抽出するときに、排紙トレイが汚染されない。
【００２２】
この画像形成装置において、上記装置本体内にファンが設けられており、上記ファンは上記フィルタ部材とともに取り出されるこのが可能になる。これにより、フィルタ部材を交換するとともにファンを交換又はメンテナンスすることができ、画像形成装置をメンテナンスすることが便利になり、その使用寿命が延長される。
【発明の効果】
【００２３】
上述の画像形成装置によれば、フィルタを簡単に交換可能な画像形成装置の提供を可能とする。
【図面の簡単な説明】
【００２４】
【図１】実施の形態１に係る画像形成装置の斜視図である。
【図２】図１に示す画像形成装置の断面図である。
【図３】実施の形態１に係るフィルタ部材の斜視図である。
【図４Ａ】図１に示す画像形成装置の概略上面図である。
【図４Ｂ】図１に示す画像形成装置の概略正面図である。
【図５】実施の形態２に係る画像形成装置の上面視の概略図である。
【図６Ａ】実施の形態３に係る画像形成装置の正面視の概略図であり、フィルタ部材の取出方向が傾斜面に垂直する状況を示す図である。
【図６Ｂ】実施の形態３に係る画像形成装置の正面視の概略図であり、フィルタ部材の取出方向が直上方向である状況を示す図である。
【図７Ａ】実施の形態４に係る画像形成装置の概略上面図である。
【図７Ｂ】実施の形態４に係る画像形成装置の概略正面図である。
【図８】実施の形態５に係る画像形成装置の正面視の概略図である。
【図９】実施の形態６に係る画像形成装置の正面視の概略図である。
【図１０】実施の形態７に係る画像形成装置の上面視の概略図である。
【図１１】実施の形態８に係る画像形成装置の正面視の概略図である。
【図１２】実施の形態９に係る画像形成装置の正面視の概略図である。
【図１３】画像形成装置の装置本体の正面からフィルタ部材を取り出す概略図である。
【発明を実施するための形態】
【００２５】
本発明に基づいた実施の形態における画像形成装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。また、図面においては、実際の寸法の比率に従って図示しておらず、構造の理解を容易にするために、構造が明確となるように比率を変更して図示している箇所がある。
【００２６】
以下、図面を参照して実施の形態に係る画像形成装置を詳しく説明する。
（実施の形態１）
図１は、実施の形態１に係る画像形成装置１の斜視図である。図２は図１に示す画像形成装置１の断面図である。この画像形成装置１（以下、「装置」と呼ぶことがある）は排紙トレイ２と、該排紙トレイ２の上方にある読取部３と、該排紙トレイ２の下側の装置本体４と、を備える。
【００２７】
読取部３及び装置本体４は、従来の画像形成装置と同じものである。排紙トレイ２は、読取部３の下方にあり、その左側に排紙口８がある。用紙は排紙口８から排出され排紙トレイ２の表面に放置されている。画像形成装置１では、排紙トレイ２と読取部３との間にスペースＳがある。フィルタ部材は、上記スペースＳを有する画像形成装置に取り付けられることに適する。しかし、これに限らず、読取部３が本体側に設けてある即ち排紙トレイ２の上方にない機種や、読取部３を有しないプリンタにも適用する。
【００２８】
装置本体４は、排紙トレイ２の下側にあり、且つ内部には電源（未図示）、用紙カセット（未図示）、画像ユニット７（ＩＵ）、及びダクト１０等が設けられている。ダクト１０は、主に、画像形成装置の内部に空気の流れを生じるためのものである。ダクト１０は、一般的に中空の管路であり、両端に開口し、一端の開口が画像ユニット７に接近し、他端の開口が大気に連通する。
【００２９】
ダクト１０に流れている空気には、例えばオゾンなどが含まれ空気と共に大気に排出される。それらを効果的に低減するために、画像形成装置１のダクト１０において、ろ過するフィルタ部材を設けるのは普通である。フィルタ部材９はダクト１０に設けられているが、図１、図２に示すように、フィルタ部材９の上端部は装置本体４の外部へ露出する。
【００３０】
図３に示すように、フィルタ部材９は略直方体の形状を成し、フィルタ９１及びフィルタ９１を取り囲む樹脂製のハウジング９２を有する。例えば、オゾンをろ過するフィルタであれば、フィルタ９１は、従来の画像形成装置のオゾンフィルタと同じ材料を用い、オゾンをろ過することができる。フィルタ部材９を装置本体４の所定箇所に挿入することにより、ダクト１０と組み合わせてダクト１０に流れるオゾンをろ過することが可能になる。さらに、装置本体４に挿入された状態で、フィルタ部材９の上端９３部分（ハウジング９２の上面）は、装置本体４の外部へ露出し、排紙トレイ２の表面と合わせているので、排紙トレイ２の一部を兼ねている。
【００３１】
図４Ａ、図４Ｂは図１に示す画像形成装置１の概略図であり、図４Ａが上面図であり、図４Ｂが正面図である。図４Ｂに示すように、点線は本実施の形態のフィルタ部材９を示している。フィルタ部材９は装置本体４の内部のダクト１０に取り付けられることにより、効果的にろ過することができる。図２及び図４Ｂに示すように、フィルタ部材９の上端部は装置本体４の外部へ露出する。フィルタ部材９の、装置本体４の外部へ露出された部分により、フィルタ部材９を装置本体４の外部へ抽出してはずすことができる。これにより、装置を覆うカバーをはずすことなくフィルタ部材９を直接に取って交換することが可能になる。これにより、フィルタ部材の交換操作が簡単化にされ、ユーザ又はメンテナーによる装置のメンテナンスが便利になり、装置の使用寿命の延長に有利である。
【００３２】
また、図１から図４Ｂに示すように、画像形成装置１は排紙口８を有し、用紙は排紙口８から排紙トレイ２の表面にへ排出される。フィルタ部材９の露出された部分（上端部）は排紙トレイ２の一部を兼ねているため、装置の意匠性が確保されるとともに、排紙動作も妨害されず、排紙が順調に行なえる。
【００３３】
図１、２及び図４Ｂに示すように、読取部３は、排紙トレイ２の上方にあり、排紙トレイ２との間に一定のスペースＳを有し、該スペースＳにより、フィルタ部材９を交換する操作用スペースが確保される。図４Ｂに示すように、読取部３の下面と排紙トレイ２の上面との上下方向での最小距離はｄＡにし、フィルタ部材９の上下方向での高さはｄＢにすれば、フィルタ部材９を装置本体４から順調に取り外すために、ｄＡ＞ｄＢの関係を満たすようにフィルタ部材９の高さであるｄＢを設置する。
【００３４】
上記実施の形態１の構成によれば、ユーザ又はメンテナーはフィルタ部材９を交換するときに、手を読取部３と排紙トレイ２との間のスペースＳに伸び入れ、そして、フィルタ部材９の、装置本体４の外部へ露出された部分によりフィルタ部材９を上方へ抽出する（矢印Ｇはフィルタ部材９を抽出する方向を示す）。フィルタ部材９の高さｄＢは読取部３の下面と排紙トレイ２の上面との最小距離ｄＡよりも小さいであるため、フィルタ部材９を装置４から順調に取り出して交換することができ、従来のように、装置本体のカバーをはずしてからフィルタ部材９を取り出す必要がない。よって、本実施の形態は、フィルタ部材９を交換する操作を簡単にすることができる。
【００３５】
（実施の形態２）
図５は、実施の形態２に係る画像形成装置１の上面視の概略図である。図５に示すように、排紙トレイ２において、点線で取り囲まれる領域は排紙領域Ｑである。用紙は排紙口８から排出され、排出された用紙は排紙トレイ２の表面に置かれ、上記排紙領域Ｑの範囲内にある。排紙領域Ｑは、ユーザの必要に応じて印刷用紙の最大サイズ或いは使用頻度の高いサイズに設定されてもよい。例えば、本実施の形態では、排紙領域ＱをＡ４の印刷用紙の大きさに設定し、印刷が完了し排紙口８から排出されたＡ４印刷用紙は、排紙領域Ｑ内に排出される。
【００３６】
本実施の形態において、フィルタ部材９は、図５に示すように、Ａ４用紙は排紙口８から排出され、排紙トレイ２の表面に沿ってＡ４の排紙領域Ｑ内に排出される際に、フィルタ部材９は、Ａ４の排紙領域Ｑ以外の領域にあるので、排出されたＡ４用紙はフィルタ部材９の露出部分と当たるこのなく、排紙性能が影響されない。
【００３７】
（実施の形態３）
図６Ａ、図６Ｂは、実施の形態３に係る画像形成装置１の正面視の概略図であり、図６Ａはフィルタ部材９の取り出し方向Ｍ１が傾斜面Ｐに垂直する状況を示し、図６Ｂはフィルタ部材９の取り出し方向Ｍ２が直上方向である状況を示す。図２及び図４Ａに示すように、排紙トレイ２は排紙方向（図中の右から左に向く方向）に対して傾斜する部分（傾斜面）Ｐを有する。フィルタ部材９を該傾斜面Ｐに対応する装置本体４の部分に設置され、そして、フィルタ部材９の取り出す（装置本体４から抽出する）方向を該傾斜面Ｐに垂直する方向に配置する（矢印Ｍ１の方向はフィルタ部材９を抽出する方向を示す）。これにより、フィルタ部材９を交換するときに、該傾斜面Ｐに垂直する方向に沿って、装置本体４と反対する方向に向けてフィルタ部材９を抽出して交換するようになる。交換が完了した後、フィルタ部材９を装置３に挿入し取付ける。插入の方向は、上記フィルタ部材９を抽出する方向と反対方向である。
【００３８】
このように、排紙トレイ２の傾斜面Ｐと読取部３との間のスペースはより大きいため、フィルタ部材９を交換するスペースも大きくなり、操作が便利になる。
【００３９】
同じように、本実施の形態では、図５Ｂに示すように、フィルタ部材９は、排紙トレイ２の傾斜面Ｐの部分に設置される場合に、その抽出又は挿入する方向が傾斜面Ｐに垂直するように設けられるだけではなく、例えば、抽出方向が直上の方向（矢印Ｍ２の方向）即ち、フィルタ部材の高さ方向を排紙方向の下流側に傾斜するように設けられてもよい。このような構成により、同じく、フィルタ部材９を交換するスペースが大きくなり、操作が便利になる。
【００４０】
（実施の形態４）
図７Ａ、図７Ｂは、実施の形態４に係る画像形成装置１の概略図を示し、図７Ａは上面図であり、図７Ｂは正面図である。
【００４１】
図７Ｂに示すように、排紙トレイ２は排紙方向に対して傾斜する部分（傾斜面）Ｐ、及び左右方向に沿って延びる水平部分（水平面）Ｈを有する。本実施の形態は、実施の形態３に比べ、フィルタ部材９を水平面Ｈに対応する装置本体４の部分に設置されることで相違する。ここで、フィルタ部材９は、水平面Ｈに対応する装置本体４の部分に設置されるが、フィルタ部材９の設置領域は上記排紙領域Ｑ以外の領域であってもよい。
【００４２】
このように、フィルタ部材９を水平面Ｈに対応する装置本体４の部分に取り付けて設置されるため、フィルタ部材９は、排紙トレイ２における水平面の領域Hから抽出される（例えば、矢印Ｇはフィルタ部材９を抽出する方向である）。水平面Ｈの領域は傾斜面Ｐよりも大きいため、対応するスペースＳも大きい。よって、フィルタ部材９の設置が便利になり、ユーザ又はメンテナーがフィルタ部材９を交換する操作も便利になる。
【００４３】
（実施の形態５）
図８は、実施の形態５に係る画像形成装置１の正面視の概略図である。図８に示すように、排紙トレイ２は、排紙方向に対して傾斜する部分（傾斜面）Ｐ、及び左右方向に沿って延びる水平部分（水平面）Ｈを有する。本実施の形態では、フィルタ部材９は、排紙領域Ｑ以外の水平面Ｈに対応する装置本体４の部分に取り付けて設けられ、そして、フィルタ部材９の高さ方向を排紙トレイ２の水平面Ｈに垂直にするように設置されている。このように、フィルタ部材９の高さ方向（矢印Ｇに示す方向）に沿ってそれを抽出する際に、排紙トレイ２の水平面Ｈに対して垂直にフィルタ部材９を装置本体４から抽出できる。
【００４４】
このような構成により、フィルタ部材９を交換するときに、排紙トレイ２の水平面Ｈに垂直する方向に沿ってフィルタ部材９を抽出し、即ち、フィルタ部材９を直上に抽出することにより、ユーザ又はメンテナーは力をフィルタ部材９に容易に付勢してそれを装置４から抽出することが可能になり、ユーザがフィルタ部材９を交換する操作も便利になる、且つ、例えフィルタに汚染物が着いたとしても、垂直に抽出するため、排紙フィルタに汚染物が落下しにくい。
【００４５】
（実施の形態６）
図９は、実施の形態６に係る画像形成装置１の正面視の概略図である。図９に示すように、排紙トレイ２は排紙方向に対して傾斜する部分（傾斜面）Ｐ、及び左右方向に沿って延びる水平部分（水平面）Ｈを有し、フィルタ部材９は、排紙領域Ｑ以外の水平面Ｈに対応する装置４の部分に取り付けて設置され、排紙領域Ｑよりも排紙方向の下流側に近い位置にある。本実施の形態は、実施の形態５に比べ、フィルタ部材９は、その高さ方向を排紙方向の下流側に傾斜するように設置される点で異なる。
【００４６】
図９に示すように、図において右から左への矢印Ｆは排紙方向を示し、右側は排紙方向の上流側であり、左側は排紙方向の下流側である。用紙は矢印Ｆ方向に沿って排出される。また、矢印Nはフィルタ部材９を抽出する方向を示す。このように、フィルタ部材９の抽出方向は排紙方向の下流側に沿って排紙方向に対して傾斜する。
【００４７】
フィルタ部材９の高さ方向を排紙方向の下流側に傾斜するようにフィルタ部材９を設置することにより、フィルタ部材９は排紙方向の下流側に傾斜するように抽出されることが可能になる。排紙方向の下流側のスペースが大きいため、排紙トレイ２の上面と読取部３の下面との距離が小さいであっても、フィルタ部材９を抽出して交換することも便利で順調にすることができる。また、排紙方向の下流側に傾斜するようにフィルタ部材９を抽出し、且つフィルタ部材９は排紙領域Ｑよりも排紙方向の下流側に近い位置にあるため、ろ過される汚物が排紙領域Ｑに落下し難く、用紙の汚染が防止される。
【００４８】
（実施の形態７）
図１０は、実施の形態７に係る画像形成装置１の上面視の概略図である。図１０に示すように、矢印Ｆの方向は排紙方向を示す。フィルタ部材９は、排紙領域Ｑ以外の装置４の部分に取り付けて設けられ、排紙領域Ｑよりも排紙方向の下流側に近い位置にある。フィルタ部材９の上端部、即ち、フィルタ部材９のハウジングの露出された部分は排紙トレイ２の表面と面一平行されている。そして、この上端部に取手部Ｋが設けられる。該取手部Ｋはフィルタ部材９の上端部と一体に形成され、取手部Ｋは上端部からハウジング９２の外周へ突出してもよいし、また内側へ凹んでもよい、更に指を入れることができる孔でもよい。フィルタ部材９を交換するときに、ユーザは手で取手部Ｋを吊ることができる。また、画像形成装置１の前後方向（正視方向）に、取手部Ｋはフィルタ部材９の上端部のユーザ側に近い位置に設けられる。
【００４９】
これにより、フィルタ部材９の上端部に取手部Ｋが設けられ、フィルタ部材９を交換するとき、ユーザは手で取手部Ｋを吊ることによりフィルタ部材９の上端部（露出された部分）を把持し、上端部に対してフィルタ部材９を抽出方向へ付勢することにより、フィルタ部材９を装置本体４から抽出して交換する。取手部Ｋが設けられるため、フィルタ部材９に容易に付勢してそれを抽出することが可能になり、フィルタ部材９を交換する操作が便利になる。さらに、取手部Ｋはユーザ側に近い位置に設けられるため、ユーザが把持することも便利になる。
【００５０】
（実施の形態８）
図１１は、実施の形態８に係る画像形成装置の正面視の概略図である。図１１に示すように、画像形成装置１はプッシュオーペン部材１２をさらに備え、該プッシュオーペン部材１２は、例えば、バネ部材からなり、装置本体４の内部に取り付けられ、フィルタ部材９の、装置本体４の内部にある端に対応する位置（例えばフィルタ部材９の下方）にある。勿論、上記と逆にして、プッシュオーペン部材１２はフィルタ部材９のハウジング９２の下面に設置することも可能である。装置本体４の内部に設けられる場合、プッシュオーペン部材１２は、その一端（例えば下端）がホルダ等のにより装置本体４に固定されてもよく、他端（例えば上端）が通常状態でフィルタ部材９と接触しなくてもよいし、原始の長さ（弾簧が弾性変形しない）を維持する状態でフィルタ部材９のハウジング９２の下面に接触してもよい。これにより、通常状態では、プッシュオーペン部材１２は弾性変形しない。フィルタ部材９を押すと、フィルタ部材９のハウジング９２の下面がプッシュオーペン部材１２の他端に接触しプッシュオーペン部材１２を付勢している。これにより、プッシュオーペン部材１２は弾性変形し、弾性力が生じてフィルタ部材９に付勢しするようになる。フィルタ部材９の押しを停止し放すときに、フィルタ部材９は上記弾性力により装置本体４の外部へ跳ね上がり（図１１において矢印に示す方向）、フィルタ部材９の、装置４の外部に露出される端部（例えば上端部）は排紙トレイ２の表面から外へ突出する。
【００５１】
これにより、フィルタ部材９を押すことによりそれを装置本体の外部に自動に跳ね上がるようにさせ、ユーザがフィルタ部材９を取り出して交換することも便利になる。
【００５２】
また、図３に示すように、ハウジング９２の長手方向の両側には、フィルタ部材９を装置本体４内のダクト１０に固定するための固定部材９２１がそれぞれ設けられる。
【００５３】
固定部材９２１はフィルタ部材９の樹脂製のハウジング９２と一体に形成される。固定部材９２１は、片持ち梁の形状に形成され、その一端にはダクトの壁面に係止する爪部が形成され、他端は根部として、ハウジング９２に接続して一体に形成される。爪部と根部との間に中間部があり、該中間部は長尺の片状に形成され、爪部と根部とを接続する。爪部のフィルタ部材９の挿入方向の両端縁には、対応するフィルタ部材９を交換する作業を容易にするように、フィルタ部材９を挿入又は取り出すときにその挿入又は取り出し動作をガイドする面取りが形成される。
【００５４】
さらに、フィルタ部材９は上記固定部材９２１を有する場合、ダクトは固定部材９２１に対応する位置に固定部材９２１と係合する凹部を有する。フィルタ部材９を装置に挿入するとき、固定部材９２１は、上記插入方向の前側にある面取りにより爪部を該爪部に対応する凹部に嵌めこみ、両側の爪部と凹部との係合により、フィルタ部材９がダクトに固定される。これにより、フィルタ部材９とダクトとは強固に固定され、ダクト内を流れるオゾンをさらに効果的にろ過することができる。
【００５５】
また、各実施の形態に係るフィルタ部材は紙粉、微小顆粒等をろ過することもでき、それは対応するフィルタを設置することにより実現される。各実施の形態において、オゾンをろ過することが好ましい。
【００５６】
オゾンはＩＵ部の帯電チャージャーで発生する。オゾンは環境（特に、オフィスの室内環境）を汚染するため、装置外部へ排出する前に、ファンとダクトでＩＵ部のエアを吸引してフィルタでオゾンを除去する必要がる。よって、ＩＵ部の近くにフィルタとファンを設けることが好ましい。
【００５７】
更にオゾンは気体であるため、フィルタ部材を交換するときにフィルタ部材を排紙トレイから抽出して取り出すときに、フィルタ上に、例えば、顆粒状の不純物が残さないため、排紙トレイを汚染しなく、排出される用紙を汚染しない。
【００５８】
（実施の形態９）
図１２は、実施の形態９に係る画像形成装置の読取部以外の部分を示す正面概略図である。図１２に示すように、画像形成装置１の装置本体４の内部には、ダクト内の空気の流れを形成し、そして空気を順調に流動するせるように気流をガイドするファン１３が設けられている。本実施の形態では、ファン１３とフィルタ部材９とを１つの組み付け部材として配置し、その他の構造は実施の形態１と同じである。これにより、フィルタ部材９を交換する場合、フィルタ部材９をファン１３とともに取り出すことができ、ファン１３を同時に交換することができる。この構造により、ファンを便利に交換することができる。
【００５９】
また、上記実施の形態では、フィルタ部材９の露出された部分が排紙トレイ２に位置する例を説明したが、それに加え、図１３に示すように、フィルタ部材９の露出された部分が画像形成装置１の装置本体４の側面且つ正面視方向におけるユーザ側に位置することもできる。このように、ユーザ側からフィルタ部材９を抽出することができ、操作用のスペースがさらに十分になり、ユーザ又はメンテナーがフィルタ部材９を交換する操作は便利になる、更に、ジョブ中でもフィルタの交換が可能となる。
【００６０】
上記実施の形態に限らず、その趣旨から逸脱しない範囲内に、各種の構造により実現することができる。例えば、発明の開示部分に記載の各実施の形態の技術的特徴に対して、適当に取替え又は組み合わせることができる。また、本明細書において必要な技術的特徴として説明されない部分は、適当に削除されてもよい。
【００６１】
本発明の実施の形態について説明したが、今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【産業上の利用可能性】
【００６２】
この画像形成装置は、オゾンフィルタを簡単に交換することができ、複写機、プリンタ、ファクス及びこれらの機能を有する複合機に適用する。
【符号の説明】
【００６３】
１  画像形成装置、２  排紙トレイ、３  読取部、４  装置本体、７  画像ユニット（ＩＵ）、８  排紙口、９  フィルタ部材、１０  ダクト、１３  ファン、Ｆ  排紙方向、Ｑ  排紙領域。
【図１】
0006419122.tif 000002
【図２】
0006419122.tif 000003
【図３】
0006419122.tif 000004
【図４Ａ】
0006419122.tif 000005
【図４Ｂ】
0006419122.tif 000006
【図５】
0006419122.tif 000007
【図６Ａ】
0006419122.tif 000008
【図６Ｂ】
0006419122.tif 000009
【図７Ａ】
0006419122.tif 000010
【図７Ｂ】
0006419122.tif 000011
【図８】
0006419122.tif 000012
【図９】
0006419122.tif 000013
【図１０】
0006419122.tif 000014
【図１１】
0006419122.tif 000015
【図１２】
0006419122.tif 000016
【図１３】
0006419122.tif 000017